(57)【要約】【課題】チップ面積の増大を抑えつつ、効果的に電流源トランジスタの１／ｆノイズに起因するノイズの発生を抑えることが可能な撮像素子を提供する。【解決手段】それぞれが光電変換部及びフローティングディフュージョン部に転送された電荷に基づいて増幅した信号を出力する増幅トランジスタを有するとともに複数色のカラーフィルタを有する複数の画素と、列毎に設けられた垂直出力線を介して画素と接続され、該画素の増幅トランジスタとソースフォロア回路を構成する電流源トランジスタとを有し、複数色のカラーフィルタの少なくとも１つの色に対応した第１色画素と垂直出力線を介して接続される第１の電流源トランジスタのゲート面積を、複数色のカラーフィルタの他の少なくとも１つの色に対応した第２色画素と垂直出力線を介して接続される第２の電流源トランジスタのゲート面積よりも大きくする。【選択図】図５
2016019232.tif 000002
【特許請求の範囲】
【請求項１】
それぞれが光電変換部、前記光電変換部の電荷が転送されるフローティングディフュージョン部、及び前記フローティングディフュージョン部に転送された電荷に基づいて増幅した信号を出力する増幅トランジスタを有するとともに、複数色のカラーフィルタを有し行列状に配置された複数の画素と、
列毎に設けられ、前記複数の画素が接続される垂直出力線と、
前記垂直出力線を介して前記画素と接続され、該画素が有する前記増幅トランジスタとソースフォロア回路を構成する電流源トランジスタとを有し、
前記複数色のカラーフィルタの少なくとも１つの色に対応した第１色画素と前記垂直出力線を介して接続される第１の電流源トランジスタのゲート面積が、前記複数色のカラーフィルタの他の少なくとも１つの色に対応した第２色画素と前記垂直出力線を介して接続される第２の電流源トランジスタのゲート面積よりも大きいことを特徴とする撮像素子。
【請求項２】
前記第１の電流源トランジスタのゲート幅が、前記第２の電流源トランジスタのゲート幅よりも大きいことを特徴とする請求項１記載の撮像素子。
【請求項３】
前記第１の電流源トランジスタのゲート長が、前記第２の電流源トランジスタのゲート長よりも大きいことを特徴とする請求項１又は２記載の撮像素子。
【請求項４】
前記複数色のカラーフィルタが、赤色、緑色、及び青色から成るカラーフィルタであり、前記第１色画素が赤色のカラーフィルタに対応した画素を含むことを特徴とする請求項１〜３の何れか１項に記載の撮像素子。
【請求項５】
前記複数色のカラーフィルタが、シアン、マゼンタ、イエロー、及びグリーンから成るカラーフィルタであり、前記第１色画素がマゼンタのカラーフィルタに対応した画素を含むことを特徴とする請求項１〜３の何れか１項に記載の撮像素子。
【請求項６】
前記第１色画素が青色のカラーフィルタに対応した画素をさらに含み、
前記第２色画素が緑色のカラーフィルタに対応した画素であることを特徴とする請求項４記載の撮像素子。
【請求項７】
請求項１〜６の何れか１項に記載の撮像素子と、
前記撮像素子より出力される画素信号に係るホワイトバランス調整を行う処理回路とを有することを特徴とする撮像装置。
【発明の詳細な説明】
【技術分野】
【０００１】
本発明は、撮像素子及び撮像装置に関する。
【背景技術】
【０００２】
デジタルスチルカメラやデジタルビデオカメラなどの撮像装置には、ＣＭＯＳ型固体撮像素子が広く用いられている。例えば、特許文献１には、フォトダイオード、転送トランジスタ、フローティングディフュージョン部、リセットトランジスタ、増幅トランジスタ、選択トランジスタから成る画素部と、垂直出力線と、電流源トランジスタとを備える構成が示されている。画素部の増幅トランジスタと電流源トランジスタとが、垂直出力線を介して接続しソースフォロアを構成し、垂直出力線上の電位が外部に読み出される。
【０００３】
カラー画像を撮像する一般的な固体撮像素子は、全画素が同じ構造のモノクロ撮像素子上にカラーフィルタとマイクロレンズとを載せ、カラーフィルタの色を変えて色情報を分離する構造を有する。例えば、カラーフィルタには、赤（Ｒ）、緑（Ｇ）、青（Ｂ）の３色からなる原色系カラーフィルタがある。
【先行技術文献】
【特許文献】
【０００４】
【特許文献１】特開２００３−５１９８９号公報
【発明の概要】
【発明が解決しようとする課題】
【０００５】
電流源トランジスタのゲート絶縁膜中にトラップ準位が存在すると、ノイズのパワースペクトルが周波数ｆの逆数に比例する、いわゆる１／ｆノイズが発生することがある。特許文献１に記載のような撮像装置では、電流源トランジスタで１／ｆノイズが発生すると、垂直出力線を流れる電流に揺らぎが発生し、その結果、画素部の増幅トランジスタの出力信号にノイズが生じてしまう。電流源トランジスタの１／ｆノイズに起因するノイズがＲ（赤）画素のような感度の低い画素で発生した場合、ホワイトバランスの調整時に大きなホワイトバランスゲインが乗算されるため、他の色の画素よりもノイズが増大されてしまう。
【０００６】
ところで、１／ｆノイズは、トランジスタのゲート面積が大きいほど減少することが知られている。しかしながら、１／ｆノイズを低減させるために、すべての列の電流源トランジスタのゲート面積を増大させると、チップ面積が大幅に増大してしまう。そこで、本発明の目的は、チップ面積の増大を抑えつつ、効果的に電流源トランジスタの１／ｆノイズに起因するノイズの発生を抑えることが可能な撮像素子を提供することである。
【課題を解決するための手段】
【０００７】
本発明に係る撮像素子は、それぞれが光電変換部、前記光電変換部の電荷が転送されるフローティングディフュージョン部、及び前記フローティングディフュージョン部に転送された電荷に基づいて増幅した信号を出力する増幅トランジスタを有するとともに、複数色のカラーフィルタを有し行列状に配置された複数の画素と、列毎に設けられ、前記複数の画素が接続される垂直出力線と、前記垂直出力線を介して前記画素と接続され、該画素が有する前記増幅トランジスタとソースフォロア回路を構成する電流源トランジスタとを有し、前記複数色のカラーフィルタの少なくとも１つの色に対応した第１色画素と前記垂直出力線を介して接続される第１の電流源トランジスタのゲート面積が、前記複数色のカラーフィルタの他の少なくとも１つの色に対応した第２色画素と前記垂直出力線を介して接続される第２の電流源トランジスタのゲート面積よりも大きいことを特徴とする。
【発明の効果】
【０００８】
本発明によれば、チップ面積の増大を抑えつつ、効果的に電流源トランジスタの１／ｆノイズに起因するノイズの発生を抑えることができ、良好な画質の画像を得ることが可能となる。
【図面の簡単な説明】
【０００９】
【図１】本発明の実施形態における撮像装置の構成例を示す図である。
【図２】第１の実施形態における撮像素子の構成例を示す図である。
【図３】撮像素子の各色画素の分光感度特性の例を示す図である。
【図４】第１の実施形態における単位画素の構成例を示す図である。
【図５】第１の実施形態における撮像素子の画素領域及び電流源回路の詳細構成を示す図である。
【図６】第１の実施形態における撮像素子の読み出し回路、水平走査回路、及び出力アンプの詳細構成を示す図である。
【図７】第１の実施形態における電流源回路のレイアウトの例を示す図である。
【図８】第１の実施形態における電流源トランジスタのゲート幅及びゲート長の例を示す図である。
【図９】第２の実施形態における撮像素子の画素領域及び電流源回路の詳細構成を示す図である。
【図１０】第２の実施形態における電流源トランジスタのゲート幅及びゲート長の例を示す図である。
【発明を実施するための形態】
【００１０】
以下、本発明の実施形態を図面に基づいて説明する。
【００１１】
（第１の実施形態）
本発明の第１の実施形態について説明する。
図１は、本実施形態における撮像装置の構成例を示すブロック図である。撮影レンズ１１１０は、レンズ駆動回路１１０９によってズーム制御、フォーカス制御、絞り制御などが行われ、被写体の光学像を撮像素子１１０１に結像させる。撮像素子１１０１は、撮影レンズ１１１０により結像された被写体の光学像を光電変換し画像信号として取り込む。タイミング発生回路１１０２は、撮像素子１１０１に駆動タイミング信号を出力する。
【００１２】
信号処理回路１１０３は、撮像素子１１０１より出力される画像信号に対して、アナログデジタル変換処理や各種の補正処理等を行う。全体制御・演算回路１１０４は、各種演算と撮像装置全体を制御する。全体制御・演算回路１１０４は、不図示のホワイトバランス調整部を有し、撮影画像の各色画素の画素信号にホワイトバランスゲインを乗算しホワイトバランスを調整する。メモリ回路１１０５は、画像データを一時的に記憶するためのメモリを有する。表示回路１１０６は、各種情報や撮影画像を表示する。記録回路１１０７は、画像データの記録や読み出しを行うための半導体メモリ等の着脱可能な記録回路である。操作回路１１０８は、撮像装置の操作部材を電気的に受け付けるものである。
【００１３】
次に、本実施形態における撮像素子１１０１の構成について説明する。図２は、本実施形態における撮像素子１１０１の構成例を示す図である。撮像素子１１０１は、画素領域１、垂直走査回路２、電流源回路３、読み出し回路４、水平走査回路５、及び出力アンプ６を有する。
【００１４】
画素領域１には、複数の単位画素１００が行列状に（行方向及び列方向に）配置されている。説明を簡単にするために図２には４行４列の１６画素の配列を示しているが、実用上は多数の画素が配置される。各単位画素１００は、複数色（複数種類の色）のカラーフィルタが設けられている。ここでは、赤色カラーフィルタが設けられ、赤色光を撮像する画素をＲ、緑色カラーフィルタが設けられ、緑色光を撮像する画素をＧ、青色カラーフィルタが設けられ、青色光を撮像する画素をＢとして表記する。Ｒ（赤）、Ｇ（緑）、Ｂ（青）の３色のカラーフィルタをそれぞれ有する各画素は、ベイヤー配列に従って配置される。
【００１５】
垂直走査回路２は、画素領域１の画素を１行単位で選択し、選択行の画素に対して駆動信号を送出する。電流源回路３は、各列に設けられ、単位画素１００と組になりソースフォロア回路を構成する。読み出し回路４は、各列に設けられ、単位画素１００と電流源回路３とで構成されるソースフォロア回路の出力信号を増幅し、その出力信号をサンプルホールドする。水平走査回路５は、読み出し回路４でサンプルホールドされた信号を列毎に順次出力アンプ６に出力するための信号を送出する。出力アンプ６は、水平走査回路５の動作により、読み出し回路４から出力された信号を外部に出力する。
【００１６】
Ｒ、Ｇ、Ｂの３色のカラーフィルタを有する各色画素の分光感度特性の例を図３に示す。なお、図３では、赤外カットフィルタの分光特性も含んでいる。例えば、色温度５０００Ｋの光源で照明された無彩色を撮影した場合、Ｒ、Ｇ、Ｂの信号レベルは約０．５：１：０．６となる。この場合、全体制御・演算回路１１０４のホワイトバランス調整部で各色の画素信号に乗算されるホワイトバランスゲインは、Ｒ画素で約２倍、Ｂ画素で約１．６倍となる。
【００１７】
図４は、本実施形態における単位画素１００の構成例を示す回路図である。単位画素１００は、フォトダイオード１０１、転送スイッチ１０２、フローティングディフュージョン部１０３、リセットスイッチ１０４、増幅トランジスタ１０５、及び選択スイッチ１０６を有する。
【００１８】
フォトダイオード１０１は、画素１００へ入射した光を受光し、その受光量に応じた信号電荷を生成する光電変換部として機能する。転送スイッチ１０２は、転送パルス信号ＰＴＸによって駆動され、フォトダイオード１０１で生成された信号電荷をフローティングディフュージョン部１０３に転送する。フローティングディフュージョン部１０３は、フォトダイオード１０１から転送された電荷を一時的に保持するとともに、保持した電荷を電圧信号に変換する電荷電圧変換部として機能する。
【００１９】
増幅トランジスタ１０５は、ソースフォロアＭＯＳトランジスタであり、フローティングディフュージョン部１０３に保持した電荷に基づく電圧信号を増幅して、画素信号として出力する。リセットスイッチ１０４は、リセットパルス信号ＰＲＥＳによって駆動され、フローティングディフュージョン部１０３の電位を電位ＶＤＤにリセットする。選択スイッチ１０６は、垂直選択パルス信号ＰＳＥＬによって駆動され、増幅トランジスタ１０５で増幅された画素信号を垂直出力線１０７に出力する。
【００２０】
図５は、本実施形態における撮像素子の画素領域１及び電流源回路３の詳細構成を示す図である。電流源回路３は、電流源トランジスタ３０１Ａ、３０１Ｂを有する。Ｒ画素及びＧ画素が接続される垂直出力線１０７Ａには電流源トランジスタ３０１Ａが接続され、Ｂ画素及びＧ画素が接続される垂直出力線１０７Ｂには電流源トランジスタ３０１Ｂが接続される。
【００２１】
電流源トランジスタ３０１Ａ、３０１Ｂは、定電流源として機能する。電流源トランジスタ３０１Ａ、３０１Ｂは、垂直出力線１０７Ａ、１０７Ｂを介して画素１００と接続され、画素が有する増幅トランジスタ１０５とソースフォロア回路を構成する。電流源トランジスタ３０１Ａ、３０１Ｂに流れる電流量は、同じになるように制御される。電流源トランジスタ３０１Ａに流れる電流の大きさは、バイアス信号線３０２Ａに印加されるバイアス電位により制御され、電流源トランジスタ３０１Ｂに流れる電流の大きさは、バイアス信号線３０２Ｂに印加されるバイアス電位により制御される。また、各列の垂直出力線１０７Ａ、１０７Ｂ上の電位Ｖｓｆは、読み出し回路４に入力される。
【００２２】
図６は、本実施形態における撮像素子の読み出し回路４、水平走査回路５、及び出力アンプ６の詳細構成を示す図である。読み出し回路４は、列毎に列読み出し回路４００を有するが、各列の列読み出し回路４００の構成は共通であるので第１列のみ詳細に示してある。４０１は垂直出力線上の電位Ｖｓｆを増幅するためのオペアンプであり、４０２はクランプ容量（Ｃ０）であり、４０３はフィードバック容量（Ｃｆ）であり、４０４はフィードバック容量（Ｃｆ）４０３の両端を短絡させるためのスイッチである。スイッチ４０４は信号ＰＣ０Ｒによって制御される。
【００２３】
４０５は出力信号電圧を保持する容量（ＣＴＳ）であり、４０６はリセット信号電圧を保持する容量（ＣＴＮ）である。４０７、４０８は、それぞれ容量（ＣＴＳ）４０５、容量（ＣＴＮ）４０６への書き込みを制御するスイッチである。スイッチ４０７は信号ＰＴＳによって制御され、スイッチ４０８は信号ＰＴＮによって制御される。４０９、４１０は、それぞれ水平走査回路５からの信号ＰＨを受けて、容量（ＣＴＳ）４０５、容量（ＣＴＮ）４０６に書き込まれた信号を共通出力線４１１、４１２に出力するためのスイッチである。
【００２４】
容量（ＣＴＳ）４０５に書き込まれた信号は、共通出力線４１１を介して出力アンプ６に入力され、容量（ＣＴＮ）４０６に書き込まれた信号は、共通出力線４１２を介して出力アンプ６に入力される。出力アンプ６は、共通出力線４１１を介して入力された容量（ＣＴＳ）４０５からの信号と共通出力線４１２を介して入力された容量（ＣＴＮ）４０６からの信号との差電圧を出力する。４１３、４１４は共通出力線４１１、４１２をリセット電圧ＶＣＨＲにリセットするためのスイッチである。リセットスイッチ４１３、４１４は信号ＰＣＨＲによって制御される。
【００２５】
以上のような回路構成を有する撮像装置の駆動方法については、公知であるので、その説明は省略する。
【００２６】
図７は、本実施形態における電流源回路３のレイアウトの一例を示す平面図である。Ｒ画素及びＧ画素が垂直出力線１０７Ａを介して接続される電流源トランジスタ３０１Ａ、及びＢ画素及びＧ画素が垂直出力線１０７Ｂを介して接続される電流源トランジスタ３０１Ｂが配置されている。半導体基板に、電流源トランジスタ３０１Ａのドレインソース領域４１、４２、及び電流源トランジスタ３０１Ｂのドレインソース領域４４、４５がそれぞれ形成されている。また、半導体基板上にゲート絶縁膜を介して、電流源トランジスタ３０１Ａのゲート電極４３、及び電流源トランジスタ３０１Ｂのゲート電極４６がそれぞれ形成されている。
【００２７】
本実施形態では、電流源トランジスタ３０１Ａのゲート長Ｌ１が、電流源トランジスタ３０１Ｂのゲート長Ｌ２よりも大きく形成されている。なお、電流源トランジスタ３０１Ａのゲート幅Ｗ１と電流源トランジスタ３０１Ｂのゲート幅Ｗ２とは同一である。
【００２８】
ここで、ＭＯＳトランジスタのゲート幅をＷ、ゲート長をＬ、単位面積あたりのゲート絶縁膜容量をＣｏｘとすると、ＭＯＳトランジスタで発生する１／ｆノイズは、（Ｗ×Ｌ×Ｃｏｘ）の平方根に反比例することが知られている。したがって、電流源トランジスタ３０１Ａ、３０１Ｂのゲート面積（ゲート幅Ｗ×ゲート長Ｌ）を（Ｗ１×Ｌ１）＞（Ｗ２×Ｌ２）とすることで、電流源トランジスタ３０１Ａの１／ｆノイズを電流源トランジスタ３０１Ｂに比べて抑えることができる。例えば、電流源トランジスタ３０１Ａ、３０１Ｂのゲート幅Ｗ及びゲート長Ｌを、図８に示す値にした場合、電流源トランジスタ３０１Ａで発生する１／ｆノイズは、電流源トランジスタ３０１Ｂで発生する１／ｆノイズの約５０％に低減できる。
【００２９】
そのため、ホワイトバランス調整において、Ｒ画素の画素信号に対して大きなホワイトバランスゲインが乗算されても、Ｒ画素の画素信号のノイズが増大することを抑えることができる。一方、Ｂ画素を含む画素列は、一般的にホワイトバランス調整において乗算されるホワイトバランスゲインはＲ画素よりも小さい。そのため、電流源トランジスタの１／ｆノイズに起因したノイズが発生したとしても、ホワイトバランスゲインによるノイズの増大は、Ｒ画素に比べて小さい。また、本実施形態では、Ｒ画素を含む列に対応する垂直出力線が接続される電流源トランジスタのゲート面積のみを大きくすることで、すべての列の電流源トランジスタのゲート面積を大きくする場合に比べて、チップ面積の増大を抑えることができる。したがって、チップ面積の増大を抑えつつ、効果的にノイズを低減した良好な画質の画像を得ることが可能となる。
【００３０】
なお、本実施形態では電流源トランジスタ３０１Ａのゲート長を電流源トランジスタ３０１Ｂのゲート長よりも大きくする構成としたが、ゲート幅を大きくする構成や、ゲート長及びゲート幅の両方を大きくする構成であってもよい。また、Ｒ、Ｇ、Ｂの３色から成る原色系カラーフィルタの代わりに、Ｃ（シアン）、Ｍ（マゼンタ）、Ｙ（イエロー）にＧ（グリーン）を加えた４色から成る補色フィルタを用いた構成に対しても適用可能である。４色から成る補色フィルタを用いた構成の場合には、感度の低いＭ画素を含む列に対応する垂直出力線が接続される電流源トランジスタのゲート面積を、他の列の電流源トランジスタのゲート面積よりも大きくするようにしてもよい。
【００３１】
第１の実施形態によれば、Ｒ画素のように感度が低く、ホワイトバランス調整時に大きなゲインがかかる画素を含む列の電流源トランジスタのゲート面積を、他の列の電流源トランジスタのゲート面積よりも大きくする。これにより、感度が低い画素を含む列の電流源トランジスタの１／ｆノイズを低減することができ、チップ面積の増大を抑えつつ、効果的に電流源トランジスタの１／ｆノイズに起因するノイズの発生を抑え、良好な画質の画像を得ることができる。
【００３２】
（第２の実施形態）
次に、本発明の第２の実施形態について説明する。以下では、前述した第１の実施形態と異なる点についてのみ説明する。第１の実施形態では、Ｒ画素及びＧ画素の画素信号が読み出される列の電流源トランジスタのゲート面積を、Ｇ画素及びＢ画素の画素信号が読み出される列の電流源トランジスタのゲート面積よりも大きくする構成としていた。第２の実施形態では、各色画素の画素信号がそれぞれ異なる垂直出力線から読み出される構成とする。Ｒ画素、Ｇ画素、Ｂ画素の画素信号がそれぞれ異なる垂直出力線から読み出されるため、Ｒ画素、Ｇ画素、Ｂ画素毎に電流源トランジスタのゲート面積を変更することができる。
【００３３】
図９は、第２の実施形態における撮像素子の画素領域１及び電流源回路３の詳細構成を示す図である。図９において、図５に示した構成要素と同一の機能を有する構成要素には同一の符号を付し、重複する説明は省略する。第２の実施形態における撮像素子の画素領域１には、列毎に２本の垂直出力線が設けられている。垂直出力線５０３ＡにはＲ画素が接続され、垂直出力線５０３ＢにはＢ画素が接続され、垂直出力線５０３ＣにはＧ画素が接続される。
【００３４】
電流源回路３は、電流源トランジスタ５０１Ａ、５０１Ｂ、５０１Ｃを有する。Ｒ画素が接続され、Ｒ画素の画素信号が読み出される垂直出力線５０３Ａには、電流源トランジスタ５０１Ａが接続される。Ｂ画素が接続され、Ｂ画素の画素信号が読み出される垂直出力線５０３Ｂには、電流源トランジスタ５０１Ｂが接続される。Ｇ画素が接続され、Ｇ画素の画素信号が読み出される垂直出力線５０３Ｃには、電流源トランジスタ５０１Ｃが接続される。
【００３５】
電流源トランジスタ５０１Ａ、５０１Ｂ、５０１Ｃは、定電流源として機能する。電流源トランジスタ５０１Ａ、５０１Ｂ、５０１Ｃは、垂直出力線５０３Ａ、５０３Ｂ、５０３Ｃを介して画素１００と接続され、画素が有する増幅トランジスタ１０５とソースフォロア回路を構成する。電流源トランジスタ５０１Ａ、５０１Ｂ、５０１Ｃに流れる電流量は、同じになるように制御される。電流源トランジスタ５０１Ａ、５０１Ｂ、５０１Ｃに流れる電流の大きさは、それぞれバイアス信号線５０２Ａ、５０２Ｂ、５０２Ｃに印加されるバイアス電位により制御される。
【００３６】
ここで、電流源トランジスタ５０１Ａのゲート幅をＷ１、ゲート長をＬ１、電流源トランジスタ５０１Ｂのゲート幅をＷ２、ゲート長をＬ２、電流源トランジスタ５０１Ｃのゲート幅をＷ３、ゲート長をＬ３とする。本実施形態では、電流源トランジスタ５０１Ａ、５０１Ｂ、５０１Ｃのそれぞれのゲート面積が、（Ｗ１×Ｌ１）＝（Ｗ２×Ｌ２）＞（Ｗ３×Ｌ３）を満たすようにする。したがって、電流源トランジスタで発生する１／ｆノイズは、電流源トランジスタ５０１Ａ＝電流源トランジスタ５０１Ｂ＜電流源トランジスタ５０１Ｃとなるように低減することができる。例えば、電流源トランジスタ５０１Ａ、５０１Ｂ、５０１Ｃのゲート幅及びゲート長を、図１０に示す値にした場合、電流源トランジスタ５０１Ａ、５０１Ｂで発生する１／ｆノイズは、電流源トランジスタ５０１Ｃで発生する１／ｆノイズの約５０％に低減できる。
【００３７】
そのため、ホワイトバランス調整において、Ｒ画素やＢ画素の画素信号に対して大きなホワイトバランスゲインが乗算された場合でも、Ｒ画素、Ｂ画素の画素信号のノイズがＧ画素の画素信号に比べて増大することを抑えることができる。なお、本実施形態では、電流源トランジスタ５０１Ａ、５０１Ｂのゲート面積は同一としたが、別々の大きさにしてもよい。ただし、本実施形態のように電流源トランジスタ５０１Ａ、５０１Ｂのゲート面積を等しくした方が、電流源トランジスタを効率よく配置することができる。
【００３８】
第２の実施形態によれば、大きなホワイトバランスゲインが乗算されるＲ画素列及びＢ画素列の電流源トランジスタのゲート面積を、それぞれＧ画素列の電流源トランジスタのゲート面積よりも大きくする。これにより、Ｒ画素列及びＢ画素列の電流源トランジスタの１／ｆノイズに起因するノイズを低減することができる。その結果、ホワイトバランス調整を行った場合でも、Ｒ画素及びＢ画素の画素信号のノイズの増大を抑えることができ、良好な画質の画像を得ることができる。また、すべての列の電流源トランジスタのゲート面積を大きくする場合に比べて、チップ面積の増大を抑えることができる。
【００３９】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００４０】
１１０１：撮像素子  １１０２：タイミング発生回路  １１０３：信号処理回路  １１０４：全体制御・演算回路  １００：単位画素  １０１：フォトダイオード  １０３：フローティングディフュージョン部  １０５：増幅トランジスタ  １０７（１０７Ａ、１０７Ｂ）：垂直出力線  ３０１Ａ、３０１Ｂ：電流源トランジスタ
【図１】
2016019232.tif 000003
【図２】
2016019232.tif 000004
【図３】
2016019232.tif 000005
【図４】
2016019232.tif 000006
【図５】
2016019232.tif 000007
【図６】
2016019232.tif 000008
【図７】
2016019232.tif 000009
【図８】
2016019232.tif 000010
【図９】
2016019232.tif 000011
【図１０】
2016019232.tif 000012